(57)【特許請求の範囲】
【請求項１】
可撓性チューブ内に挿通配置された操作ワイヤを後端側から軸線方向に進退させることによって、上記操作ワイヤの先端に連結された先端処置部材が上記可撓性チューブの先端開口から突没するようにした内視鏡用先端突没型処置具において、
上記可撓性チューブ内に後端側から連通する液注入口を設けると共に、
外径が上記可撓性チューブの先端の外径と略同径に形成されて上記可撓性チューブの先端開口内に引き込まれない大きさの先端チップを上記先端処置部材の先端に取り付け、
上記可撓性チューブの先端開口部分の内外を連通させる先端噴出溝を、上記先端チップの後壁部に対向する上記可撓性チューブの先端面部分に放射状に形成したことを特徴とする内視鏡用先端突没型処置具。
【発明の詳細な説明】
【０００１】
【発明の属する技術分野】
この発明は、先端処置部材が可撓性チューブの先端開口から突没する内視鏡用先端突没型処置具に関する。
【０００２】
【従来の技術】
内視鏡用先端突没型処置具には、例えば高周波スネアやバスケット型異物回収具等のように、可撓性チューブ内に挿通配置された操作ワイヤを後端側から軸線方向に進退させることによって、操作ワイヤの先端に連結された先端処置部材が可撓性チューブの先端開口から突没するようにしたものが少なくない。
【０００３】
【発明が解決しようとする課題】
そのような内視鏡用先端突没型処置具においては、可撓性チューブ内に後端側から連通する液注入口を設け、可撓性チューブを利用して造影剤等を先端から送り出せるようにしたものがある。
【０００４】
しかし、そのようなものの場合、造影剤等が可撓性チューブの先端開口から前方に向かってしか噴出されないので、粘膜面に一様に散布するような使い方をすることはできない。
【０００５】
したがって、色素液や洗浄液等を粘膜面に一様に散布したいような場合には、先端突没型処置具に代えて内視鏡の処置具挿通チャンネルに散布チューブを挿通し、散布処理の後再び先端突没型処置具を挿入し直す必要があり、極めて煩雑な操作を必要としていた。
【０００６】
そこで本発明は、色素液や洗浄液等を必要に応じて簡単な操作で散布することができる内視鏡用先端突没型処置具を提供することを目的とする。
【０００７】
【課題を解決するための手段】
上記の目的を達成するため、本発明の内視鏡用先端突没型処置具は、可撓性チューブ内に挿通配置された操作ワイヤを後端側から軸線方向に進退させることによって、操作ワイヤの先端に連結された先端処置部材が可撓性チューブの先端開口から突没するようにした内視鏡用先端突没型処置具において、可撓性チューブ内に後端側から連通する液注入口を設けると共に、可撓性チューブの先端開口内に引き込まれない大きさの先端チップを先端処置部材の先端に取り付け、可撓性チューブの先端開口部分の内外を連通させる先端噴出溝を可撓性チューブの先端面と先端チップの後壁部とが対向する部分に放射状に設けたものである。
【０００８】
なお、先端噴出溝は、可撓性チューブの先端面と先端チップの後壁部の少なくとも一方に形成されていればよい。
【０００９】
【発明の実施の形態】
図面を参照して本発明の実施例を説明する。
図３は、本発明が適用された内視鏡用高周波スネアを示しており、１は、例えば外径が２ｍｍ程度で長さが１〜２ｍ程度の四フッ化エチレン樹脂製の可撓性チューブであり、図示されていない内視鏡の処置具挿通チャンネルに挿脱される。
【００１０】
可撓性チューブ１内には、導電性の操作ワイヤ２が軸線方向に進退自在に挿通配置されており、その先端には接続パイプ４を介して先端処置部材３が連結されている。
【００１１】
先端処置部材３は、この実施例においては、導電性の弾性ワイヤをループ状にしたスネアワイヤであり、可撓性チューブ１の先端開口から前方に突出して外力が加えられていない自然状態では図３に示されるようにループ状に膨らんでいて、可撓性チューブ１の先端開口内に引き込まれることにより窄まるようになっている。
【００１２】
１０は、可撓性チューブ１の後端に連結された操作部であり、可撓性チューブ１の後端が先端に連結された細長い棒状の操作部本体１１に、操作ワイヤ２の後端が連結されたスライダー１２がスライド自在に取り付けられている。
【００１３】
２ａは、腰折れ防止補強のための操作ワイヤ２に被嵌されたステンレス鋼パイプ製の補強パイプ、１３は、操作ワイヤ２と電気的に導通する高周波電源コード受け端子、１４は、可撓性チューブ１内に連通する注液口金である。
【００１４】
図１は、操作ワイヤ２が操作部１０側から牽引されて、先端処置部材３が可撓性チューブ１の先端開口内に完全に引き込まれた状態の内視鏡用高周波スネアの先端部分を示しており、先端処置部材３は弾性変形して窄まった状態になっている。
【００１５】
先端処置部材３の先端には、可撓性チューブ１の外径とほぼ同程度の直径で可撓性チューブ１の先端開口内に引き込まれない大きさの短円柱状の先端チップ５が取り付けられており、その先端外縁の稜線部は滑らかに丸められている。
【００１６】
可撓性チューブ１の先端面に対向する先端チップ５の後壁面には、II−II断面を図示する図２にも示されるように、可撓性チューブ１の先端開口部分の内側と外部とを連通させる溝状の先端噴出溝６が放射状に設けられている。先端噴出溝６は、この実施例においては４５°間隔で八つ設けられ、各溝６の前壁は斜め前方に傾けて形成されている。
【００１７】
図４は、可撓性チューブ１と操作部１０との連結部付近を示しており、可撓性チューブ１内に連通するように操作部本体１１に突設された注入口金１４は、例えば注射針口金状に形成されていて、注射筒等を任意に接続することができる。
【００１８】
そして、操作ワイヤ２が通過するように操作部本体１１に形成された通路の端部近傍には補強パイプ２ａの外周面に密着するＯリング１５が配置されていて、可撓性チューブ１内と外部との間をシールしている。したがって、注入口金１４から液を注入すると、その液は外部に漏れ出すことなく可撓性チューブ１内に送り込まれる。
【００１９】
このように構成された内視鏡用高周波スネアにおいては、操作ワイヤ２を一旦操作部１０側に牽引しておくことにより、先端チップ５が可撓性チューブ１の先端面に密着した状態になり、内視鏡の処置具挿通チャンネルや体内の細い管腔等へ、引っ掛かりなくスムーズに挿入することができる。
【００２０】
そして、その状態で注入口金１４に注射筒等を取り付けて、図４に矢印で示されるように可撓性チューブ１内に液を注入すれば、その液は、図１に矢印で示されるように、先端噴出溝６から斜め前方に向かって放射状に全方向に噴出し、色素液や洗浄液等の散布を容易に行うことができる。
【００２１】
そして、内視鏡の処置具挿通チャンネルに処置具類を挿脱し直すことなく、先端処置部材３（スネアワイヤ）によるポリープ切除処置等を引き続いて速やかに行うことができる。
【００２２】
なお、本発明は上記実施例に限定されるものではなく、例えば先端噴出溝６は、図５に示されるように、先端チップ５の後壁部と対向する可撓性チューブ１の先端面に形成してもよい。
【００２３】
また、図６に示されるように、先端チップ５側と可撓性チューブ１側とで形成される先端噴出溝６の前後両壁を共に斜め前方に向けて平行に形成してもよく、図７及びその外観図である図８に示されるように、先端噴出溝６を前方が幅広になるＶ字状に形成してもよい。また、先端チップ５を、図９に示されるような球状その他の形状に形成してもよい。
【００２４】
なお、本発明の適用は、内視鏡用高周波スネアに限らず、３〜６本程度の弾性ワイヤによりかご状に形成された先端処置部材３を有する内視鏡用バスケット型回収具等のように、先端処置部材３が可撓性チューブ１の先端開口内に突没する各種内視鏡用先端突没型処置具に適用することができる。
【００２５】
【発明の効果】
本発明の内視鏡用先端突没型処置具によれば、可撓性チューブの先端開口部分の内外を連通させる先端噴出溝を可撓性チューブの先端面と先端チップの後壁部とが対向する部分に放射状に設けたことにより、散布チューブ等と取り替えることなく、内視鏡の処置具挿通チャンネルに挿通した状態のまま、色素液や洗浄液等を必要に応じて簡単な操作で散布することができる。
【図面の簡単な説明】
【図１】本発明の第１の実施例の内視鏡用先端突没型処置具の先端部分の側面断面図である。
【図２】本発明の第１の実施例の内視鏡用先端突没型処置具の図１におけるII−II断面図である。
【図３】本発明の第１の実施例の内視鏡用先端突没型処置具の全体構成図である。
【図４】本発明の第１の実施例の内視鏡用先端突没型処置具の可撓性チューブと操作部との連結部付近の部分断面図である。
【図５】本発明の第２の実施例の内視鏡用先端突没型処置具の先端部分の側面断面図である。
【図６】本発明の第３の実施例の内視鏡用先端突没型処置具の先端部分の側面断面図である。
【図７】本発明の第４の実施例の内視鏡用先端突没型処置具の先端部分の側面断面図である。
【図８】本発明の第４の実施例の内視鏡用先端突没型処置具の先端部分の側面図である。
【図９】本発明の第５の実施例の内視鏡用先端突没型処置具の先端部分の側面図である。
【符号の説明】
１  可撓性チューブ
２  操作ワイヤ
３  先端処置部材
５  先端チップ
６  先端噴出溝
１０  操作部
１４  注入口金（液注入口）
【図１】
0004297467.tif 000002
【図２】
0004297467.tif 000003
【図３】
0004297467.tif 000004
【図４】
0004297467.tif 000005
【図５】
0004297467.tif 000006
【図６】
0004297467.tif 000007
【図７】
0004297467.tif 000008
【図８】
0004297467.tif 000009
【図９】
0004297467.tif 000010